(57)【要約】【課題】駆動体に大きなモーメントを掛けなくても、他の部材を容易に作動させること。【解決手段】操作部材に設けられた作動片或いは作動軸と、作動片或いは作動軸が作動して扉を開くのを助勢する助勢手段とを備える内外気圧差解消装置であって、助勢手段を構成する各部材は、全て錠箱内に互いに共働するように配設され、作動片或いは作動軸から入力を受ける側の部材は、直線運動或いは回転運動をする駆動体であり、一方、該駆動体から動力変換部材を介して前記扉の開閉端から進出する出力側の部材は、錠箱のフロントの裏側近傍に回転自在に軸支された短杆状の抉じ開け片であり、開扉時、駆動体を介して短杆状抉じ開け片の先端部が扉枠側の反力部材に対して回転しながら圧接し、該圧接力が扉を開く方向に作用する反力と成る内外気圧差解消装置。【選択図】図８
2013160014.tif 000002
【特許請求の範囲】
【請求項１】
操作部材に設けられた作動片或いは作動軸と、この作動片或いは作動軸が作動して扉を開くのを助勢する助勢手段とを備える内外気圧差解消装置であって、前記助勢手段を構成する各部材は、全て前記錠箱内に互いに共働するように配設され、前記作動片或いは作動軸から入力を受ける側の部材は、直線運動或いは回転運動をする駆動体であり、一方、該駆動体から動力変換部材を介して前記扉の開閉端から進出する出力側の部材は、錠箱のフロントの裏側近傍に回転自在に軸支された短杆状の抉じ開け片であり、開扉時、前記駆動体を介して前記短杆状抉じ開け片の先端部が扉枠側の反力部材に対して回転しながら圧接し、該圧接力が扉を開く方向に作用する反力と成ることを特徴とする内外気圧差解消装置。
【請求項２】
請求項１に於いて、操作部材はレバーハンドルであり、また作動軸は、該レバーハンドルに軸部に設けられた回転軸であり、該回転軸に半径外方向に延在する駆動体が一体的に設けられていると共に、短杆状抉じ開け片の係合歯に係合する駆動係合歯が設けられていることを特徴とする内外気圧差解消装置。
【請求項３】
先端部が扉の開閉端から突出する反転ラッチと、この反転ラッチの後端部をロックする錠箱内のラッチ規制部材と、操作部材に設けられた錠箱内に突入する作動片と、この作動片の位置変位に基づいて作動して扉を開くのを助勢する助勢手段とを備える内外気圧差解消装置であって、前記助勢手段を構成する各部材は、全て前記錠箱内に互いに共働するように配設され、前記作動片から入力を受ける側の部材は、直線運動をする駆動スライダーであり、一方、該駆動スライダーから動力変換部材を介して前記扉の開閉端から進出する出力側の部材は、前記錠箱のフロントの裏側近傍に回転自在に軸支された短杆状の抉じ開け片であり、開扉時、前記駆動スライダーの始動開始後に該駆動スライダーを介して前記ラッチ規制部材の規制を解いた後、前記短杆状抉じ開け片の先端部が扉枠側の反力部材に対して回転しながら圧接し、該圧接力が扉を開く方向に作用する反力と成ることを特徴とする内外気圧差解消装置。
【請求項４】
請求項３に於いて、操作部材はプッシュ・プル式のハンドルであり、また該操作部材の作動片は、駆動スライダーを直接押圧しながら位置変位することを特徴とする内外気圧差解消装置。
【請求項５】
請求項３に於いて、内外気圧差解消装置は、ラッチ錠用内外気圧差解消装置であることを特徴とする内外気圧差解消装置。
【発明の詳細な説明】
【技術分野】
【０００１】
本発明は、建具としての扉を開く際に、その開動を助勢する内外気圧差解消装置に関に関する。
【背景技術】
【０００２】
特許文献１のハンドル装置は、扉１の開放端側に設けられるラッチ錠９と、扉内外の扉面に縦向き又は横向きにハンドルを取り付けるための座１２、１３と、この座のそれぞれに押し引き可能に保持されるハンドル１１ａ、１１と、ハンドルを押し引きの中間位置に保持するバネ１４、１４と、中間位置からのハンドルの押し操作ならびに引き操作によって、縦向きハンドルが取り付けられたときには縦向きハンドル用の操作部材２７を作動させ、横向きハンドルが取り付けられたときには横向きハンドル用の操作部材２８を作動させて、ラッチ錠９のラッチ１６の後退を許容させる作動機構１５、１５を設けている（符号は特許文献１に記載のもの）。
【０００３】
この特許文献１のハンドル１１ａ、１１は、いわゆるプッシュ・プル式の操作部材であり、該操作部材の基端部には、錠箱内に突出する内外の作動片４５ａ、４５ｂが設けられている。これら内外の作動片４５ａ、４５ｂのいずれかが錠箱の上下方向（図３参照）又は左右方向（図１３参照）に移動すると、上下一対のラッチ規制部材（ロッキングピース）２２、２２がラッチ１６の規制を解く方向へ回転する。
【０００４】
一方、特許文献２には、操作部材が、例えば操作軸を有するレバーハンドルであって、前記操作軸の回転によりラッチボルト（棒状体）が後退した後に、該操作軸のさらなる回転操作によって、「抉じ開けラッチ８３」が扉枠側の反力部材（３９、１２１）に扉を抉じ開けるように圧接する事項（内外気圧差解消装置）が記載されている（符号は特許文献２に記載のもの）。
【０００５】
この特許文献２の開動助勢装置は、開扉時、例えば第１実施形態の抉じ開けラッチ８３が扉開閉端からストレートに進出して戸枠側の反力部材に圧接するものであるが、あくまでも棒状体のラッチボルトに適用する実施形態であった。
【０００６】
ところで、現在、可能限り操作部材に力を入れなくても、出力側の抉じ開け片が、扉側の反力部材に圧接する内外気圧差解消装置の出現が求められている。また、操作部材の如何を問わず、反転ラッチに適用可能な内外気圧差解消装置が求められている。さらに、例えば特許文献１に記載のプッシュ・プル式の操作部材を備えたハンドル装置に合理的な構成（各部材がスムースに作動すること、入力側に大きな力を入れなくても済む構成）を用いて適用することが求められている。
【０００７】
なお、特許文献１、特許文献３乃至特許文献５には、反転ラッチ、反転ラッチを仮施錠するラッチ規制部材（ロッキングピース）が詳細に記載されている。これらの事項は、既に当業者によって自明事項である。
【先行技術文献】
【特許文献】
【０００８】
【特許文献１】特開平１１−１４８２５９号公報
【特許文献２】特許第４２９５５９６号公報
【特許文献３】特開平８−１００５５９号公報
【特許文献４】特開平１１−１４１２０７号公報
【特許文献５】特開２００１−２２５５１０号公報
【発明の概要】
【発明が解決しようとする課題】
【０００９】
本願発明の所期の目的は、駆動体に大きなモーメントを掛けなくても、他の部材を容易に作動させることである。第２の目的は、例えば出願人が提案した特許文献２に記載のような内外気圧差解消装置をさらに改良して特許文献１に記載のような、操作部材がプッシュ・プル式のハンドル装置に適用し、かつ内外気圧差解消装置の機能を確実に実現することである。
【課題を解決するための手段】
【００１０】
本願発明の内外気圧差解消装置は、操作部材に設けられた作動片或いは作動軸と、この作動片或いは作動軸が作動して扉を開くのを助勢する助勢手段とを備える内外気圧差解消装置であって、前記助勢手段を構成する各部材は、全て前記錠箱内に互いに共働するように配設され、前記作動片或いは作動軸から入力を受ける側の部材は、直線運動或いは回転運動をする駆動体であり、一方、該駆動体から動力変換部材を介して前記扉の開閉端から進出する出力側の部材は、錠箱のフロントの裏側近傍に回転自在に軸支された短杆状の抉じ開け片であり、開扉時、前記駆動体を介して前記短杆状抉じ開け片の先端部が扉枠側の反力部材に対して回転しながら圧接し、該圧接力が扉を開く方向に作用する反力と成ることを特徴とする。
【００１１】
また、本願発明の内外気圧差解消装置は、先端部が扉の開閉端から突出する反転ラッチと、この反転ラッチの後端部をロックする錠箱内のラッチ規制部材と、操作部材に設けられた錠箱内に突入する作動片と、この作動片の位置変位に基づいて作動して扉を開くのを助勢する助勢手段とを備える内外気圧差解消装置であって、前記助勢手段を構成する各部材は、全て前記錠箱内に互いに共働するように配設され、前記作動片から入力を受ける側の部材は、直線運動をする駆動スライダーであり、一方、該駆動スライダーから動力変換部材を介して前記扉の開閉端から進出する出力側の部材は、前記錠箱のフロントの裏側近傍に回転自在に軸支された短杆状の抉じ開け片であり、開扉時、前記駆動スライダーの始動開始後に該駆動スライダーを介して前記ラッチ規制部材の規制を解いた後、前記短杆状抉じ開け片の先端部が扉枠側の反力部材に対して回転しながら圧接し、該圧接力が扉を開く方向に作用する反力と成ることを特徴とする。
【発明の効果】
【００１２】
動力変換部材を用いたので、駆動体に大きなモーメントを掛けなくても、他の部材を容易に作動させることができる。付言すると、例えば操作部材の作動片の位置変位或いは作動軸の回動に対応して、入力側の部材である駆動体が作動し、この駆動体の駆動力が動力変換部材によって回転運動に変換され、該回転運動が出力側の部材である短杆状抉じ開け片に伝達されるので、力学上、駆動体に大きなモーメントを掛けなくても、他の部材を容易に作動させることができる。また、反転ラッチに適用することができる。さらに、例えば特許文献２とは異なる解決手段（ハンドル側の作動片、駆動体の一例としての駆動スライダーが錠箱の上下又は水平方向に移動する原理、抉じ開け部材が回転する原理）により、扉の扉開閉端と扉枠との間に隙間を生じさせ、室内外の気圧差を解消させることができる。したがって、操作部材がプッシュ・プル式のハンドルの場合に最適である。
【図面の簡単な説明】
【００１３】
図１乃至図１５は本発明の第１実施形態を示す各説明図。図１６乃至図１８は本発明の第２実施形態を示す各説明図、図１９乃至図２２は本発明の第３実施形態を示す各説明図、図２３乃至図２６は本発明の第４実施形態を示す各説明図、図２７及び図２８は本発明の第５実施形態を示す各説明図である。
【図１】扉枠側の部材と扉側の部材を示す環境説明図（デッドボルトは省略）。
【図２】扉の自由端部側から見た環境説明図。
【図３】内外のハンドル装置の概略断面説明図（操作手段がプッシュ・プル方式のハンドルに適合する説明図）。
【図４】要部（扉枠側）の扉開閉端側から見た説明図。
【図５】図４を基準にした要部（扉枠側）の一側面からから見た説明図。
【図６】図４を基準にした要部（扉枠側）の平面側から見た図４の６−６線概略断面説明図。
【図７】要部（反力部材）の斜視図。
【図８】初期状態の概略説明図。
【図９】錠箱の正面（フロント）側から見た説明図。
【図１０】要部（駆動スライダー）の斜視図。
【図１１】動力変換部材の斜視図。
【図１２】要部（短杆状抉じ開け部材）の斜視図。
【図１３】駆動スライダーが始動して、ラッチ規制部材の規制を解く全体の説明図。
【図１４】終期（開扉時における差圧解消時）の概略説明図。
【図１５】終期の平面視からの概略説明図。
【図１６】第２実施形態の主要部を示す概略説明図（初期状態）。
【図１７】駆動スライダー等の説明図。
【図１８】作用の説明図。
【図１９】第３実施形態の主要部を示す概略説明図（初期状態）。
【図２０】駆動スライダー等の説明図。
【図２１】作用の説明図。
【図２２】図３と同様の概略断面説明図。
【図２３】第４実施形態の主要部を示す概略説明図（初期状態）。
【図２４】図２４（ａ）は駆動スライダー５２Ｃの正面視、図２４（ｂ）はその背面視からの各説明図。
【図２５】作用の説明図。
【図２６】内外の操作手段がプッシュ・プル方式のハンドルに適合する平面視からの説明図。
【図２７】第５実施形態の主要部を示す概略説明図（初期状態）。
【図２８】作用の説明図。
【発明を実施するための最良の形態】
【００１４】
（１）環境部材
図１乃至図１５は第１実施形態である。まず図１を参照にして環境部材を説明する。なお、当業者にとって自明の、シリンダ錠、デッドボルトの出没機構、デッドボルト、サムターン装置等の図示及び説明は省略する。
【００１５】
図１は扉枠側の部材と扉側の部材を示す環境説明図で、特に、扉の外壁面と、内外のプッシュ・プル方式のハンドルと、錠箱のフロントが見える斜視図である。この図に於いて、１は玄関扉用の扉枠で、この扉枠１の縦枠には反力部材１３を有する縦長状錠受け２が縦方向に固定されている。錠受け２には、ラッチ受け穴４、抉じ開け部材用の切欠部分５がそれぞれ形成されている。また扉枠１の縦枠には、前記錠受け２を取付けるための不番の切欠状凹所がそれぞれ形成されている。戸当り６には、該戸当り６と扉７との隙間をシールするパッキンが適宜に設けられている。扉７が室外の方向に開動する開閉体であれば、室内側が負圧となることで、扉７の開閉端部（扉開閉端）７ａの内側（図１では向こう側の内壁面）は、パッキンを介して又は介さないで戸当り６に押付けられる。
【００１６】
一方、扉７の吊元と反対側の開閉端部７ａには、ラッチ錠Ｘの錠箱８が内装されている。図１で示すように、このラッチ錠Ｘの錠箱８の外壁面側（つまり扉７の室外側の面）には、プッシュ・プル方式の外側操作部材１０が縦或いは横方向に設けられている。一方、扉７の室内側にプッシュ・プル方式の内側操作部材９が縦或いは横方向に設けられている。
【００１７】
１１は外側操作部材９の操作力によってラッチ規制部材からの規制（ロック状態）が解かれるラッチ部材（本実施例では反転ラッチ）、そして、５４は後述する助勢手段５１を構成する回転式の抉じ開け部材である。本実施形態の抉じ開け部材５４は、錠箱８内のフロント８ａ付近に第２横軸を介して軸支され、開扉時、操作部材の操作力によって駆動スライダー５２が錠箱８の上下方向へ摺動すると、基端部或いは中央部が第１横軸を介して軸支された動力変換手段５３を介して回転し、その先端部は前記フロント８ａに形成した開口から飛び出て行き、上述した錠受け２の内に固定的に組み込まれた反力部材１３の受け面に圧接する。
【００１８】
上記構成に於いて、扉７が室外の方向に開動する開閉体であれば、室内側が負圧となることで、扉７の開閉端部７ａの内側（図１では向こう側の内壁面）は、戸当り６に押付けられる。
【００１９】
したがって、扉７を開け難いという問題点があり、それを解決するために「扉枠側錠受け２の反力部材１３、扉側の助勢手段５１の回転式抉じ開け部材５４、駆動体の一例としての駆動スライダー５２等の構成要素で構成された内外気圧差解消装置」が加味されている。
【００２０】
次に、図２及び図３を参照にして、内外のハンドル装置の一例を説明する。これらの図に於いて、符号Ｙは室内のハンドル装置、一方、Ｚは室外のハンドル装置である。これらの図から明らかなように、内外の操作手段９、１０はプッシュ・プル方式のハンドルである。図３で示すように、プル側の外側操作部材１０は、扉を開く矢印Ａ方向へプルされる。また、プッシュ側の内側操作部材９も同様に扉を開く矢印Ａ方向へプッシュされる。
【００２１】
ここで、各ハンドル装置を説明すると、プル側のハンドル装置Ｚは、扉７の外壁面７ｂに所定間隔を有して固定される上下一組の台座１５、１６と、これらの台座に架設した状態で両端部が支持されると共に付勢バネ１７により初期位置に付勢された外側操作部材１０と、この外側操作部材を扉７の開く方向Ａへプルすると、外側操作部材の一端部を軸支する枢軸１８が支点となって前記台座の一方の台座（この実施例では上方台座）１５に第１固定軸１９を介して軸支され、かつ、該外側操作部材の他端部に連結された作動リンク２０の可動ピン２１が台座１５の外方向へ所定量位置変位すると共に、該作動リンクに連動するように前記一方の台座に第２固定軸２２を介して軸支された連動レバー（ここでは「外の作動片」という。）２３とから成る。
【００２２】
そして、前記作動リンク２０はテコ式の長杆片であり、前記第１固定軸１９を基準として、その長梃側端部が前記外側操作部材１０の一端部に前記可動ピンに軸支されていると共に、その基端部側に作動係合歯２４が形成され、また連動レバー（外の作動片）２３もテコ式の長杆片であり、第２固定軸２２を基準として、その長梃部分の先端部がラッチ錠Ｘの助勢手段５１を構成する駆動スライダー５２に係合すると共に、その基端部側に前記作動係合歯２４に常時係合する従動係合歯２５が形成されている。
【００２３】
これに対して、プッシュ側のハンドル装置Ｙは、扉７の内壁面７ｃに所定間隔を有して固定される上下一組の台座２８、２７と、これらの台座に架設した状態で両端部が支持されると共に付勢バネ２９により初期位置に付勢された内側操作部材９と、この内側操作部材を扉７の開く方向Ａへプッシュすると、内側操作部材の一端部を軸支する枢軸３０が支点となって前記台座の一方の台座２７に第１固定軸３１を介して軸支されかつ該内側操作部材の自由端部に連結された作動リンク３２の可動ピン３３が台座の内方向へ所定量位置変位すると共に、該作動リンク３２に連動するように前記一方の台座２７に第２固定軸３４を介して軸支された連動レバー（ここでは「内の作動片３５」という。）とから成る。
【００２４】
そして、前記作動リンク３２は長杆状に形成されており、一方、前記連動レバー（内の作動片）３５はアングル形状に形成され、回転半径の異なる異形の前記作動リンク３２及び連動レバー３５の各中間部分は、連係手段３６を介して互いに係合し、また前記連動レバー３５の先端部に相当する突出端部は、一方の台座２７の取付けベース面から突出した状態で前記ラッチ錠Ｘの助勢手段５１を構成する駆動スライダー５２と係合する。付言すると、外と内の各作動片２３、３５は、一つの長孔を有するブロック状又はコ字形状のいずれかに形成された駆動スライダー５２と係合し、該駆動スライダーは、ハンドル側の内外の作動片３５、２３がそれぞれ選択的に移動する方向と同一方向（この第１実施形態では上方向）に移動する。
【００２５】
（２）本発明の主要部
本発明の内外気圧差解消装置は、例えば建具のラッチ錠Ｘを前提とする。しかして、本発明の内外気圧差解消装置は、その先端部が扉７の開閉端７ａから突出する反転ラッチ１１と、この反転ラッチの後端部をロックする錠箱８内のラッチ規制部材４１と、操作部材９、１０に設けられた錠箱内に突入する一組の作動片２３、３５と、この作動片の位置変位に基づいて作動して扉７を開くのを助勢する助勢手段５１とを備える内外気圧差解消装置であって、前記助勢手段５１を構成する各部材は、全て前記錠箱８内に互いに共働するように配設され、前記いずれかの作動片２３、３５から入力を受ける側の部材は、直線運動をする駆動スライダー５２であり、一方、該駆動スライダーから動力変換部材５３を介して前記扉開閉端７ａから進出する出力側の部材は、前記錠箱８のフロント８ａの裏側近傍に回転自在に軸支された短杆状の抉じ開け片５４であり、開扉時、前記駆動スライダー５２の始動開始後に該駆動スライダーを介して前記短杆状抉じ開け片５４の先端部が扉枠１側の反力部材１３に対して回転しながら圧接し、該圧接力が扉７を開く方向に作用する反力と成ることを特徴とする。
【００２６】
付言すると、本発明は、「開扉時、いずれかの操作手段９、１０の操作力によって作動する助勢手段５１の短杆状抉じ開け片５４が回転しながら扉開閉端７ａから飛び出し、その先端部５４ｂでもって蹴り出すように相手側の反力部材１３の傾斜状受け面１３ａに圧接する点」に特徴がある。
【００２７】
（３）主たる部材の具体的構成
まず、図４乃至図７を参照にして錠受け２の構成を説明する。錠受け２は先端開口のケース状トロヨケ２ａと、このケース状トロヨケの先端開口を塞ぐストライク２ｂとから成り、これらの下端部或いは下端部寄りの部位の扉７の開く側の一側に相当する部位乃至フロント側の他側に亘って、上下方向の切欠部分５が形成されている。この切欠部分５は、回転式抉じ開け部材５４の先端部５４ｂが蹴り出すように入り込むことから、所要の大きさに設定されている。そして、本実施形態では、図７で示すＬ型反力部材１３が複数個のネジ（固定手段）１４を介して錠受け２内に組み込まれ、該Ｌ型反力部材１３の傾斜状受け面１３ａは、少なくとも錠受け２の扉開動側の一側から上下方向切欠部分５を通して見える。なお、本実施形態のＬ型反力部材１３は、不番の縦長状ベース板部分と、該縦長状ベース板部からストライク２ｂ側へと所定量突出する受け部分とから成り、前記受け部分の下方に前記傾斜状受け面１３ａが形成されている。また前記縦長状ベース板部と受け部分には、固定手段１４用のネジ孔が適宜に形成されている。このように本実施形態の錠受け２は、組立が容易になるようにシンプルな構成となっている。
【００２８】
次に、図８乃至図１２を参照にして助勢手段５１を構成する各部材を説明する。助勢手段５１の各部材の基本的部材は、合計３個であり、これらの各部材は、前述したように全て錠箱８内に互いに共働するように配設されている。
【００２９】
しかして、操作部材９、１０の各作動片２３、３５から入力を受ける側の部材は、直線運動をする駆動スライダー５２であり、一方、該駆動スライダー５２から動力変換部材５３を介して扉開閉端７ａから進出する出力側の部材は、錠箱８のフロント８ａの裏側近傍に回転自在に軸支された短杆状抉じ開け片５４である。これらの各部材を個別的に図面で示すと、図１０は駆動スライダー５２の斜視図、図１１は動力変換部材５３の斜視図、そして、図１２は短杆状抉じ開け部材５４の斜視図である。
【００３０】
そこで、図１０を参照にして駆動スライダー５２の構成を説明する。符号５２ａは縦長開口５５を有する環状（実施例）、逆Ｕ字形状、コ字形状、Ｌ形状等に形成された下端部で、前記縦長開口５５内に操作部材９、１０の各作動片２３、３５が錠箱８に形成した窓を介して入り込む。５２ｂは下端部５２ａの上端中部部から上方へと伸長するアーム状の上端部、５２ｃはアーム状上端部からラッチ規制部材４１の方向（反転ラッチ方向）へと突出する係合部分である。
【００３１】
しかして、前記下端部５２ａの上端中央部の紙面上裏側には、第１横軸５６を介して軸支されたシーソ式の動力変換部材５３の後端部（右側部分）の下面に係合する支持突起（例えばローラ、小突起等）５６が設けられている。また、前記係合部分５２ｃの先端上面は、ラッチ規制部材４１に対する駆動部分となっており、本実施形態では、後述のラッチ規制部材４１の係合腕４３をスムースに押し上げることが可能な傾斜面或いは弧状面となっている。なお、駆動スライダー５２の適宜箇所には、錠箱のガイド長孔と係合する複数のガイド突起が設けられている。
【００３２】
次に、図１１を参照にしてシーソ式の動力変換部材５３の構成を説明する。動力変換部材５３は、長杆状、長板状等の水平板片であり、そのやや幅広の中央部には不番の軸孔が形成され、図８で示すように、錠箱８の中央部に横設軸架された第１横軸５６を介して水平状態に配設されている。前記第１横軸５６を基準にすると、先細り状の先端部分５３ａには係合突起（係合ピン、短突起など）５８が設けられている。普通一般にシーソ部材は、一方が重いと傾くが、本実施形態では、後端部分５３ｂの下面が、前述したように駆動スライダー５２の支持突起５７に持ち上げられるので、右上がり状態に傾倒する。
【００３３】
最後に、図１２を参照にして短杆状抉じ開け部材５４の構成を説明する。短杆状抉じ開け部材５４の全体的形状は、リズム楽器の「マラカス」形態である。マラカス形態、茄子形態、胡瓜形態、大根形態等は問わないが、柱状の枢支基端部５４ａに連設する先端部５４ｂの外面は、例えば太鼓の如く、一部或いは全部が曲面状に形成されている。実施形態では、マラカス形態の略中央部に相当する基端部５４ａに軸孔５９が形成されていると共に、該基端部５４ａの端部にそれぞれ案内長孔６０、６０を有する一対の連係突片５４ｃが連設している。前記一対の連係突片５４ｃの間に前述したシーソ式動力変換部材５３の先端部分５３ａが遊嵌状態に入り込み、かつ係合突起５８が前記案内長孔６０、６０に係入する。なお、シーソ式動力変換部材５３の先端部分５３ａと短杆状抉じ開け部材５４の基端部５４ａとの連係手段は適宜設計変更できる。
【００３４】
（４）その他の部材
ここでは、図８を参照にして、ラッチ部材１１とラッチ規制部材４１を説明する。ラッチ規制部材４１は周知のようにラッチ部材としての反転ラッチを仮施錠状態に規制（保持）する役割を果たす。背景技術で説明したように、特許文献１、特許文献３乃至特許文献５には、反転ラッチ１１を仮施錠するラッチ規制部材（ロッキングピース）４１が詳細に記載されており、これらの事項は当業者によって自明事項であるから、ここでは細部的構成の説明は割愛する。反転ラッチ１１及びラッチ規制部材４１は、特許文献１、特許文献３等と同様であり、特に異なる点は、ラッチ規制部材４１の一方が、その支軸（例えば上方支軸）４２よりも錠箱８の後壁８ｂ方向へ所定量延在する係合腕４３を有し、該係合腕４３のアール部分４３ａを有する先端部が、助勢手段５１を構成する駆動スライダー５２の突片状の係合部分５２ｂに摺接係合する点である。４５はラッチ部材１１用付勢バネ、４６はラッチ規制部材４１用付勢バネである。なお、この実施形態では、ラッチ規制部材４１が互いに揺動するように組み合わせられた上下一組のロッキングピースであるが、例えば特許文献５（特開２００１−２２５５１０号公報）の図４に記載されているように、係合腕４３を有する片方だけであっても良い。また、ラッチ規制部材４１の係脱機構は当業者が任意に設計変更することができる事項である点は指摘するまでもない。
【００３５】
（５）作用
図８、図１３及び図１４を参照にして作用を説明する。図８は、閉扉時に於いて、駆動スライダー５２が錠箱８の底壁付近に存在していることを示す。したがって、内外の操作部材９、１０のいずれも操作をしていない。この初期位置状態では、動力変換部材５３は水平状態を保ち、一方、「マラカス」形態の短杆状抉じ開け部材５４は、垂直状態となっている。
【００３６】
そこで、図１３は、例えば外の操作部材１０を操作し始めたとき、駆動スライダー５２が上方へと始動して、ラッチ規制部材４１の規制を解いた状態を示す。ラッチ規制部材４１の規制は、駆動スライダー５２が外の作動片２３に押し上げられて摺動し始めると、その係合部分５２ｃがラッチ規制部材４１の係合腕４３の係合部分（例えば小突起）を押し上げる状態を保持する。このように、開扉時、前記駆動スライダー５２の始動開始後に該駆動スライダーを介して前記ラッチ規制部材４１の規制が解かれる。図１４は終期（開扉時における差圧解消時）の概略説明図、図１５は終期の平面視からの概略説明図である。
【００３７】
ラッチ規制部材４１の規制を解かれた直後、駆動スライダー５２がさらに上方へと上昇すると、これと共働するシーソ式動力変換部材５３の後端部分５３ｂはさらに上方へと回転する。したがって、シーソ式動力変換部材５３の先端部分５３ａの係合突起５８により、短杆状抉じ開け部材５４の連係突片５４乃至基端部５４ａは下方へと押し下げられる。この時、短杆状抉じ開け部材５４は第２横軸５８を介して時計方向へと回転し、その先端部５４ｂはフロント８ａに形成した開口６１から飛び出て行く（図１４参照）。そうすると、前記先端部５４ｂが扉枠１側の反力部材１３に対して回転しながら傾斜状受け面１３ａに圧接し、該圧接力が扉７を開く方向に作用する反力と成る（図１５参照）。
【実施例】
【００３８】
次に、図１６乃至図１８は、本発明の第２実施形態の各説明図である。この第２実施形態に用いた内外の操作手段もプッシュ・プル方式のハンドルである。なお、この第２実施形態の説明に当って、第１実施形態と同一の部分には、同一又は同様の符号を付して重複する説明を割愛する。また、本発明のこのプッシュ・プル方式の内外のハンドル９、１０は、例えば一端部が台座に軸支された室外側のハンドルを扉の開く方向へ引く（プルする）際、又は／及び一端部が台座に軸支された室内側のハンドルを、扉の開く方向へ押す（プッシュする）際、それらの一端部の枢軸を支点に内外のハンドルが所定角度まで傾倒するハンドル揺動型のラッチ錠用ハンドル装置の構成部材であるが、もちろん、プッシュ・プル方式のハンドル装置は、平行リンク機構、同期機構等を用いたハンドル水平移動型であっても良い。
【００３９】
第２実施形態が第１実施形態と主に異なる点は、動力変換手段５３Ａである。この動力変換手段５３Ａは、図１７で示す駆動スライダー５２Ａのラック部６５の一端部に形成されたラック６５ａと、このラック６５ａに噛合するように抉じ開け部材５４Ａと前記駆動スライダー５２Ａとの間に軸支されたピニオン６６と、このピニオンに噛み合うように抉じ開け部材５４Ａの基端部５４ａに形成された係合歯６７とから成る。
【００４０】
しかして、前記駆動スライダー５２Ａのラック部６５は、下端部５２ａの側端部に垂直板状に所定幅を有して連設形成或いは一体的に設けられ、かつ、上端部にはバネ６９用の下端部を支持するバネ端受け部分６８が水平方向に折り曲げ形成されている。符号７０は、前記バネ６９の上端部を支持するバネ受け板で、該バネ受け板７０は、錠箱８内に適宜に固定されている。
【００４１】
次に、図１９乃至図２２は本発明の第３実施形態を示す各説明図である。第３実施形態が第１実施形態と主に異なる点は、動力変換手段５３Ｂである。この動力変換手段５３Ｂは、図２０で示すＬ型状駆動スライダー５２Ｂの板状の動力変換部分６５Ｂの先端部に形成された被係合部分（突起、溝、切欠、水平長孔など）６５ｂと、この被係合部分６５ｂに係合するように抉じ開け部材５４の基端部５４ａに形成された突片状の係合部分６７Ｂとから成り、前記係合部分には前記被係合部分６５ｂと係合する可動ピン７１が突設されている。なお、前記板状動力変換部分６５Ｂには所定間隔を有して複数個の垂直案内長孔７２が形成されており、これらの垂直案内長孔には錠箱に設けられた複数個のガイドピン７３が係合している。
【００４２】
この第３実施形態のＬ型状駆動スライダー５２Ｂは、錠箱８の下方方向へ不番のガイド突起を介して下がるので、内外の操作部材の位置に関して、プッシュ側のハンドル装置Ｙとプル側のハンドル装置Ｚとが、その主要部が第１実施形態のものに対して、反転状態と成っている。したがって、ハンドル装置Ｙ、Ｚの説明は第１実施形態の説明を援用する。
【００４３】
最後に、図２３乃至図２６は本発明の第４実施形態を示す各説明図である。この第４実施形態は、（ａ）図２６で示す内外の操作部材９、１０の各作動片３５、２３が水平方向へ位置変位する点、例えば外の作動片３５も内の作動片２３も共に反転ラッチ１１の方向へそれぞれ水平移動する点、（ｂ）したがって、駆動スライダー５２Ｃは、前記内外の作動片３５、２３のいずれかに押されて、図２５で示す矢印方向へと移動する点、（ｃ）動力変換手段５３Ｃの構成部品が増え、例えば第１実施形態のシーソ式回転レバーをＬ型レバー７４に形成し、これに第２実施形態のラック部６５Ｃの考え方を組み合わせた点である。
【００４４】
したがって、第１実施形態又は第２実施形態の構成と同様の部分は、例えば一端部７４ａ、他端部７４ｂの如く同様の符号を付して重複する説明を割愛する。図２４（ａ）に示す駆動スライダー５２Ｃの正面視と、図２４（ｂ）に示すその背面視を参照にすると、駆動スライダー５２Ｃの形態は、例えば下端部に相当する垂直片部分５２ａと、上端部５２ｂに相当する水平片部分とを有するが、ラッチ規制部材４１の係合腕４３と係合する傾斜状或いは弧状の係合部分５２ｃ、Ｌ型レバー７４の他端部７４ｂを押圧する駆動部分５７等は、断面で示すように傾斜状、弧状等適宜に形成されている。
【００４５】
ところで、図２６で示す内外の操作部材９、１０の基端部は、共に内外の固定軸７６、７６にそれぞれ軸支されているものの、外側操作部材１０の基端部に形成された基端部長孔７７と、外の作動片２３の基端部に形成された基端部長孔７８は、外の固定軸７６に軸支された状態で互いに交差している。これに対して、内側操作部材９の基端部に形成された基端部長孔７９と、内の作動片３５の基端部に形成された基端部長孔８０は、図２６で示すように互いに重なり合っている。このように駆動スライダー、動力変換手段、内外の操作部材の操作態様を設計変更しても、第１実施形態と同一の効果を得ることができる。
【００４６】
最後に、図２７及び図２８は本発明の第５実施形態を示す各説明図である。この第５実施形態は、（ａ）内外の操作部材９、１０が垂直方向に回転するＬ型のレバーハンドルである点、（ｂ）したがって、操作部材９、１０に設けられ部材が作動片ではなく、内外のレバーハンドル９、１０の各軸部を連結する作動軸、つまり、回転軸２３Ｄである点、（ｃ）該回転軸２３Ｄに半径外方向に延在する板状の駆動体５２Ｄが一体的に設けられていると共に、短杆状抉じ開け片５４Ａの係合歯６７に係合する駆動係合歯６５ａが設けられている点、（ｄ）ラッチ規制部材４１を構成する一方の不番ロッキングピースの後端部にアーム状の係合腕４３Ｄを垂直方向に設け、例えば該係合腕４３Ｄの先端部に扇形状の駆動体５２Ｄの弧状面に形成された係合部分４２ｃと係合するローラ４３ａを設けた点である。
上記のように構成しても、本発明の所期の目的を達成することができる。
【産業上の利用可能性】
【００４７】
本発明は錠前及び建具の分野で利用される。
【符号の説明】
【００４８】
１…扉枠、２…錠受け、Ｘ…ラッチ錠、Ｙ…室内のハンドル装置、Ｚ…室外のハンドル装置、４…ラッチ受け穴、５…切欠部分、６…戸当り、７…扉、７ａ…扉開閉端、８…錠箱、８ａ…フロント、９…内側操作部材、１０…外側操作部材、１１…ラッチ部材（反転ラッチ）、１３…反力部材、２３…外の作動片、３５…内の作動片、４１…ラッチ規制部材、５１…助勢手段、５２…駆動体、５３…動力変換部材、５４…抉じ開け駆動部材。
【図１】
2013160014.tif 000003
【図２】
2013160014.tif 000004
【図３】
2013160014.tif 000005
【図４】
2013160014.tif 000006
【図５】
2013160014.tif 000007
【図６】
2013160014.tif 000008
【図７】
2013160014.tif 000009
【図８】
2013160014.tif 000010
【図９】
2013160014.tif 000011
【図１０】
2013160014.tif 000012
【図１１】
2013160014.tif 000013
【図１２】
2013160014.tif 000014
【図１３】
2013160014.tif 000015
【図１４】
2013160014.tif 000016
【図１５】
2013160014.tif 000017
【図１６】
2013160014.tif 000018
【図１７】
2013160014.tif 000019
【図１８】
2013160014.tif 000020
【図１９】
2013160014.tif 000021
【図２０】
2013160014.tif 000022
【図２１】
2013160014.tif 000023
【図２２】
2013160014.tif 000024
【図２３】
2013160014.tif 000025
【図２４】
2013160014.tif 000026
【図２５】
2013160014.tif 000027
【図２６】
2013160014.tif 000028
【図２７】
2013160014.tif 000029
【図２８】
2013160014.tif 000030